(57)【特許請求の範囲】
【請求項１】
垂直フレーム上方に該垂直フレームの仮想延長線上から角度を変えて建築躯体まで延長された連結フレームを有する少なくとも２以上のフレームを備え、
該フレームを構成する各連結フレームは、前記建築躯体の躯体面に対して直交する方向に配されて先端が躯体面に固定されてなり、
前記フレームを構成する少なくとも２本の前記垂直フレームを接続するように前記フレーム間に複数本の梁フレームが架設され、
前記複数本の梁フレームのうちの何れかの梁フレームには前記建築躯体からキッチン空間を隔ててキッチン用設備機器類としてアッパーキャビネットを設置し、
前記複数本の梁フレームのうちの他の梁フレームには前記建築躯体からキッチン空間を隔てて他のキッチン用設備機器類を設置した
ことを特徴とする自立型キッチン構造。
【請求項２】
前記フレームおよび梁フレームを、配管，配線のインフラ経路として或いは間仕切り部材の支持に用いたことを特徴とする請求項１に記載の自立型キッチン構造。
【請求項３】
前記フレームを構成する連結フレームは、建築躯体との距離に応じたアジャスト機能を備えていることを特徴とする請求項１に記載の自立型キッチン構造。
【発明の詳細な説明】
【技術分野】
【０００１】
本発明は、自立型のキッチン構造に関するものである。
【背景技術】
【０００２】
従来、アイランドまたは対面型のキッチンとして、特許文献１に開示されているようなキッチン構造があり、このキッチン構造は、門型状にフレームを組み合わせ、門型のフレームに、キッチン用機能部材を備えたカウンターを取り付けて構成したものとなっている。
【先行技術文献】
【特許文献】
【０００３】
【特許文献１】特開２００６−２２３６４４号公報
【発明の概要】
【発明が解決しようとする課題】
【０００４】
上記特許文献１に開示されているキッチンの構造では、キッチンが床面のみで支持されている構造であるため、フレームを太く強固なもので構成しないと自立させることが難しく、フレームを太くすると意匠性や空間効率が損なわれることとなる。かと言って、自立性を確保するために建築躯体の壁や天井を利用しようとすると、建築躯体側の補強工事が必要になってしまうという問題点があった。
【課題を解決するための手段】
【０００５】
本発明は、建築躯体側の補強工事を必要とせず、自立性を確保できるアイランドまたは対面型のキッチン構造の提供を目的とし、この目的の少なくとも一部を達成するために以下の手段を採った。
本発明の自立型キッチン構造は、垂直フレーム上方に該垂直フレームの仮想延長線上から角度を変えて建築躯体まで延長された連結フレームを有する少なくとも２以上のフレームを備え、
該フレームを構成する各連結フレームは、前記建築躯体の躯体面に対して直交する方向に配されて先端が躯体面に固定されてなり、
前記フレームを構成する少なくとも２本の前記垂直フレームを接続するように前記フレーム間に複数本の梁フレームが架設され、
前記複数本の梁フレームのうちの何れかの梁フレームには前記建築躯体からキッチン空間を隔ててキッチン用設備機器類としてアッパーキャビネットを設置し、
前記複数本の梁フレームのうちの他の梁フレームには前記建築躯体からキッチン空間を隔てて他のキッチン用設備機器類を設置した
ことを要旨とする。
【発明の効果】
【０００６】
本発明の自立型キッチン構造では、フレームの２以上の連結フレームが、垂直フレームから角度を変えて建築躯体の躯体面に対して直交する方向に配されて先端が躯体面に固定されているため、建築躯体への強度依存が可能であり、強固に自立するアイランドタイプまたは対面型のキッチンを建築躯体側に補強工事を行うことなく手間を少なくして設置できるものとなる。
【０００７】
また、本発明の自立型キッチン構造において、前記フレームおよび梁フレームを、配管，配線のインフラ経路として或いは間仕切り部材の支持に用いたものとすることもできる。
こうすれば、フレーム内に配管や配線を通し、またはフレームを間仕切り部材の支持用に用いることができ、スペース効率を向上させて、すっきりとした状態の自立型キッチンを構築することができる。
【０００８】
また、本発明の自立型キッチン構造において、前記フレームを構成する連結フレームは、建築躯体との距離に応じたアジャスト機能を備えているものとすることもできる。
こうすれば、現場での調整が可能であり、フレームを構成する連結フレームを現場の建築壁等まで確実に延長させて建築躯体側に固定することができ、現場での自立型キッチンの設置工事が容易なものとなる。
【図面の簡単な説明】
【０００９】
【図１】現場での自立型キッチンの設置状態の斜視構成図である。
【図２】更に配管フレームを追加した設置状態の斜視構成図である。
【図３】更に引き戸を追加した場合の設置状態の斜視構成図である。
【図４】連結フレームの延長方向を変更した場合の自立型キッチンの設置状態の斜視構成図である。
【図５】図４に更に配管フレームを追加した設置状態の斜視構成図である。
【図６】連結フレームを上方へ延長させた場合の自立型キッチンの斜視構成図である。
【図７】連結フレームの上端を建築躯体の天井に固定した自立型キッチンの設置状態の斜視構成図である。
【図８】自立型キッチンを構成するフレームの断面拡大構成図である。
【図９】フレームを利用して引き戸を設置した場合の要部断面拡大構成図である。
【図１０】連結フレームのアジャスト機能部分の分解斜視構成図である。
【図１１】フレーム構造のキッチン本体の設置状態の斜視構成図である。
【図１２】図１１のキッチン本体の構成部材の分解斜視構成図である。
【図１３】図１１のキッチン本体を前面側から見た設置状態の斜視構成図である。
【図１４】図１３の構成部材の分解斜視図である。
【図１５】キッチン本体のフレームの組み付け前の要部拡大構成図である。
【図１６】図１５の構成部材の組み付け状態の拡大構成図である。
【図１７】キッチン本体のフレームの組み立て構造の要部を拡大して示す分解斜視図である。
【図１８】キッチン本体のフレームの組み立て構造の要部を拡大して示す分解斜視図である。
【図１９】キッチン本体を構成するフレームの断面図である。
【図２０】キッチン本体を構成するフレームの断面の変更例を示す。
【図２１】更に異なるキッチン本体のフレームの断面構造を示す。
【図２２】自立型キッチンに水栓と浄水器カートリッジを取り付けた状態の要部斜視構成図である。
【図２３】図２２の正面拡大構成図である。
【図２４】浄水器カートリッジと水栓の取り付け位置を変更した場合の要部斜視構成図である。
【図２５】水栓の配管および配線の接続構造を示す拡大構成図である。
【図２６】水栓と固定部材の分解斜視図である。
【図２７】図２６の水栓と固定部材の正面拡大断面構成図である。
【図２８】水栓の取り付け構造の別例を示す分解拡大構成図である。
【図２９】図２８の構成部材を固定した状態の拡大構成図である。
【図３０】水栓の取り付け構造の別例を示す要部斜視構成図である。
【図３１】更に異なる水栓の取り付け構造の別例を示す斜視構成図である。
【発明を実施するための形態】
【００１０】
次に、本発明を実施するための形態を実施例を用いて説明する。
図１は、自立型キッチンの設置状態の斜視構成図である。
建築躯体である床面１ａと建築壁１ｂ，１ｃに囲まれた空間内に自立型キッチンを設置してキッチン空間Ｓを形成させることができ、この自立型キッチンは、フレームユニット２ａとフレームユニット２ｂ間に複数本の梁フレーム３，３，３を架け渡し状に組み付けたフレーム構造となっている。
各フレームユニット２ａ，２ｂは、床面１ａから垂直に立ち上がる垂直フレーム４と、この垂直フレーム４の上端から建築壁１ｂに向かって延長された連結フレーム５で構成されており、連結フレーム５の先端は建築壁１ｂに図示しないアングル材などを用いて固定されるものである。
左側のフレームユニット２ａと右側のフレームユニット２ｂ間に水平に架け渡した梁フレーム３，３に、キッチン本体６が固定されて設置され、また、上方の梁フレーム３，３にはアッパーキャビネット７が取り付けられて設置される。
【００１１】
なお、図２は、更に建築壁１ｂに沿って配管フレーム８，８をそれぞれ連結フレーム５に連結させたものであり、この配管フレーム８内には水栓用の配管や配線を通すことができ、配管や配線は更に連結フレーム５或いは垂直フレーム４内にも通して、すっきりとした状態で、かつスペースを省略して配管や配線が行えるものである。
【００１２】
更に図３は、右側のフレームユニット２ｂの連結フレーム５を利用して開閉可能に仕切り部材である引き戸９を設置した斜視構成図である。
このようにフレームを利用して引き戸９等を設置して、キッチン空間Ｓを良好に仕切ることができるものである。
【００１３】
次に、図４は変更例を示すものであり、図４では、左側のフレームユニット２ａの連結フレーム５を、垂直フレーム４の上端から建築壁１ｃ側に向かって水平に延長させ、連結フレーム５の先端を建築壁１ｃにアングル材等で固定したものである。
また、右側のフレームユニット２ｂは、垂直フレーム４の上端から建築壁１ｂに向かって水平に連結フレーム５が延長され、連結フレーム５の先端は建築壁１ｂにアングル材等で固定されたものである。
このように図４では、角度の異なる方向に連結フレーム５，５が延長されて、それぞれが９０度で交差する建築壁１ｂ，１ｃに固定されるものであり、より強固な自立状態が得られ、建築躯体で囲まれた空間内の現場にアイランドタイプまたは対面型の自立型キッチンを容易に構築することができるものである。
【００１４】
なお、図５は、更に建築壁１ｃおよび１ｂに沿って配管フレーム８，８をそれぞれ連結フレーム５，５に連結状に立設させたものであり、この配管フレーム８内に配管や配線を通すことができるものである。
【００１５】
次に、図６は更なる変更例を示すものであり、図６では、連結フレーム５を垂直フレーム４の上端に同軸状に上方へ向かって延長させたものである。
図７に示すように、この連結フレーム５の上端は建築躯体である天井１ｄに当接させて、アングル材等により連結フレーム５の上端は天上１ｄに固定されるものである。
図６および図７の構造では、垂直フレーム４と連結フレーム５を１本のフレームで形成させて、床面１ａと天井１ｄ間に垂直に立設させて固定することができ、この一対の左右のフレーム間に水平に複数の梁フレーム３，３を架け渡し状に固定して、この梁フレーム３，３にキッチン本体６およびアッパーキャビネット７を固定して取り付けることができるものである。
【００１６】
なお、フレームユニット２ａ，２ｂを構成する垂直フレーム４，連結フレーム５は、図８の断面拡大図で示すようなＣ型鋼材であり、更に梁フレーム３も図８のような断面構造のＣ型鋼材で構成することができる。
このＣ型鋼材は、基片５ａの両端側から９０度折り曲げて両側の側片５ｂ，５ｂが一体形成され、各側片５ｂの他端側で９０度折曲されて折れ片５ｃが一体形成されており、両側の折れ片５ｃ，５ｃ間には開口Ｋが形成されている。
この開口Ｋを通して、Ｃ型鋼材の内部に配管や配線を容易に配置させることができ、この開口Ｋは必要に応じてカバー材などで蓋しておくことができ、カバー材により意匠性やメンテナンス性が確保されるものとなる。
【００１７】
なお、このようなＣ型鋼材のフレームでは、図９に示すように、引き戸９を良好に開閉可能に取り付けることができるものとなる。
即ち、引き戸９の上端面に支持金具１０を固設し、この支持金具１０に軸１１を回転可能に取り付け、軸１１の両端側に設けた車輪１２，１２を、Ｃ型鋼材の折れ片５ｃ，５ｃ上に転動可能に当接させて配置することができる。
なお、支持金具１０は、引き戸９の上端面にビス等で固定される固定部１０ａから左右両側に一体状に立ち上げて立上部１０ｂ，１０ｂが形成され、この立上部１０ｂ，１０ｂ間に軸１１が架け渡し状に支持されたものである。
このように連結フレーム５を利用して容易に仕切り部材である引き戸９等を設置することができるものとなる。
【００１８】
なお、連結フレーム５には、アジャスト機能が備えられている。即ち、図１０に要部を拡大して示すように、連結フレーム５の一部に小型の小型フレーム５Ｂを設けておき、通常の大型フレーム５Ａ内に、この小型の小型フレーム５Ｂを差し込んで摺動できるように構成しておく。
なお、小型の小型フレーム５Ｂも図８に示すような断面構造に形成されており、大型フレーム５Ａ内に小型フレーム５Ｂを差し込んで、差し込み長さを調整することで、連結フレーム５の延長長さを適宜現場で調整でき、連結フレーム５を確実に建築壁１ｂ或いは建築壁１ｃに当接させて、その先端を建築壁１ｂ，１ｃに固定することができるものである。
【００１９】
なお、大型フレーム５Ａおよび小型フレーム５Ｂには、長手方向に沿って所定間隔で孔５ｄ，５ｄが貫通形成されており、この大型フレーム５Ａと小型フレーム５Ｂの貫通状の孔５ｄ，５ｄを整合させて、孔５ｄ，５ｄ内にボルト等を入れることで、大型フレーム５Ａと小型フレーム５Ｂを所定長さで固定することができるものである。
なお、垂直フレーム４の基片４ａには、予め上下方向に所定間隔でビス孔４ｄ，４ｄが貫通形成されており、このビス孔４ｄ内にビスを通して、ビスを連結フレーム５に締め付けて、垂直フレーム４と連結フレーム５を連結できるものである。
【００２０】
このように垂直フレーム４の上端に建築躯体まで延長された連結フレーム５を有するフレームユニット２ａ，２ｂを用い、このフレームユニット２ａ，２ｂ間に複数の梁フレーム３，３を水平状に架設し、この梁フレーム３，３にキッチン本体６やアッパーキャビネット７、更には照明器機や後述する設備機器類を取り付けて、強固に自立するキッチンを形成させることができるものであり、建築躯体側には何ら補強工事を行う必要はなく、工事の手間もかからずコストを低減でき、工期を短縮させて、すっきりとした状態の自立型キッチンを得ることができる。
【００２１】
次に、キッチン本体６をフレーム構造とした場合について説明する。
図１１は、側板等を取り外したフレーム構造のキッチン本体６の組み立て状態図であり、図１２は、フレームの分解斜視図である。また、図１３は、前面側から見たキッチン本体６のフレーム構造を示し、図１４は、前面側から見たフレームの組み立て前の分解斜視図を示す。
【００２２】
キッチン本体６を構成するフレームは、図１５或いは図１６の側面概略図で示すように、複数の縦フレーム１６，１６，１６と、コの字状に組み付けた前縦フレーム１７，上奥行フレーム１８，下奥行フレーム１９で構成されている。
前縦フレーム１７の上端に水平に組み付けられた上奥行フレーム１８および前縦フレーム１７の下端に水平に組み付けられた下奥行フレーム１９のそれぞれの後端には、折れ片１８ａ，１９ａが一体形成されている。
【００２３】
このキッチン本体６を構成する縦フレーム１６，前縦フレーム１７，上奥行フレーム１８，下奥行フレーム１９は、薄板状のフレームで構成されており、例えば図１９に示すような断面形状、或いは図２０に示すような断面形状、或いは図２１に示すような断面形状に形成されたものである。
図１９の断面では、平板部１６ｂの両端側に９０度折曲して折曲部１６ｃ，１６ｃが形成されたものであり、図２０では、平板部１６ｂの中央部にリブ１６ｄが形成されたものである。更に図２１の断面では、平板部１６ｂの両端側に段部１６ｅ，１６ｅが形成されたものである。
【００２４】
このように折曲部１６ｃ，リブ１６ｄ，段部１６ｅを形成させることで強度が確保されており、薄板状の断面であっても、図１５および図１６に示すように、上奥行フレーム１８の上面にカウンター１３を固定させ、更に下奥行フレーム１９の上面に底板２０を固定させ、更には側面に図示しない側板や、前面下端のケコミ板２４を固定させることで、全体としての強度が確保できるように構成されている。
なお、図中２１は脚であり、図中２２は、縦フレーム１６と前縦フレーム１７間に水平に架け渡し状に取り付けられる引出し用のスライドレールである。
【００２５】
前述した垂直フレーム４，４間に水平に架け渡し状に取り付けられた上下の梁フレーム３，３間に、各縦フレーム１６を横方向に間隔をおいてそれぞれ立設状にビス等で取り付け固定し、また、上方の梁フレーム３に対して上奥行フレーム１８の折れ片１８ａを固定し、下方の梁フレーム３に対し下奥行フレーム１９の折れ片１９ａを固定して組み付ける。
この場合、図１７に拡大して示すように、予め梁フレーム３側には四角状の係止孔３ａ，３ａを貫通形成させておき、一方、上奥行フレーム１８，下奥行フレーム１９の折れ片１８ａ，１９ａには、それぞれ略Ｌ字状の係合爪１８ｂ，１８ｂを一体状に形成させておけば、現場でこの係合爪１８ｂを梁フレーム３の係止孔３ａ内に引掛け状に嵌め込むことで、容易に梁フレーム３に対し上奥行フレーム１８，下奥行フレーム１９を取り付け固定することができ、施工が容易なものとなる。
【００２６】
更に図１８に示すように、前縦フレーム１７，縦フレーム１６には、それぞれ上下方向に間隔をおいて予め角孔状の係止孔１７ａ，１７ａを複数貫通形成させておき、スライドレール２２の先端の折れ片２２ａには予めＬ字状の係合爪２２ｂを形成させておけば、この係合爪２２ｂを適宜高さ位置にある係止孔１７ａ内に嵌め込むことで、前縦フレーム１７，縦フレーム１６間に容易にスライドレール２２を嵌め込んで取り付け固定できるものである。
なお、図中２２ｃは、スライドレール２２に取り付けられたローラーである。
【００２７】
このようにキッチン本体６を構成するフレーム１６，１７，１８，１９を現場で容易に梁フレーム３，３に取り付け固定し、更にカウンター１３，底板２０をフレーム１８，１９に直接ビス等で固定することで、容易にキッチン本体６を組み立てることができ、薄板状のフレーム構造で強固なキッチン本体６を形成させることができるものである。
なお、カウンター１３にはシンク１４とコンロ１５が設けられている。
【００２８】
次に、図２２および図２３では、水栓と浄水器カートリッジを取り付けた部分の拡大図を示す。
水栓２８は、シンク１４の上方に固定された梁フレーム３に取り付けられ、また、浄水器カートリッジ２６は、上方のアッパーキャビネット７内にカバー２９で隔離された状態で設置される。
垂直フレーム４内には給水管２５が配管され、この給水管２５が浄水器カートリッジ２６に接続され、浄水器カートリッジ２６内のセラミックフィルターで浄化された水は、浄水管２７を通り水栓２８に供給されるものであり、この浄水管２７も垂直フレーム４から梁フレーム３内に配管されて水栓２８に接続されている。
【００２９】
この浄水管２７には、図２５に拡大して示すように、先端に継手プラグ２７ａが設けられており、一方、水栓２８側からは配管３０が延びており、配管３０の先端には継手ソケット３０ａが設けられている。従って、この継手ソケット３０ａに対し継手プラグ２７ａをワンタッチで差し込むことで、浄水管２７を水栓２８にワンタッチで接続することができ、また、取り外しもワンタッチで行えるものである。
同様に、水栓２８用の電機配線３１においても、先端にコンセントプラグ３１ａを設けておき、水栓２８側から延びる配線３２の先端にはコンセント３２ａを設けておき、このコンセント３２ａをコンセントプラグ３１ａに差し込むことで、ワンタッチで電気配線の接続が行えるように構成されている。この電気配線３１も同様に梁フレーム３内を通り、垂直フレーム４内を通して配線されるものである。
【００３０】
なお、図２４には、浄水器カートリッジ２６の配置を変更した場合を示す。
図２４では、水栓２８を垂直フレーム４側にほぼ当接させて梁フレーム３に取り付け、梁フレーム３の上面に設けられる棚板上に浄水器カートリッジ２６を配設したものである。
このような構成では、浄水器カートリッジ２６で浄化した水を短い距離で水栓２８に供給することができるものとなる。
【００３１】
前記梁フレーム３に取り付けられる水栓２８は、図２６および図２７に示すように、固定部材３３を用いて梁フレーム３に取り付け固定されるものである。
梁フレーム３に固定される固定部材３３には、左右一対の嵌合凹部３３ａと、左右一対のネジ孔３３ｂが形成されており、一方、水栓２８の左右端には突出状に固定片２８ｂ，２８ｂが形成され、各固定片２８ｂには突起２８ｃ，２８ｃが一体状に突出形成されている。
この突起２８ｃをゴム３６に差し込んで、更にゴム３６を固定部材３３の嵌合凹部３３ａ内に摩擦力で嵌合させ、その状態で水栓の固定片２８ｂ側からビスをネジ孔３３ｂに締め付けて、水栓２８を固定部材３３に固定することができ、ビスと共にゴム３６を介して摩擦力で嵌合されているため、取り付け，取り外しが容易であり、良好に位置ずれを防いで水栓２８が取り付けられている。
【００３２】
なお、更に強固な水栓２８の取り付け構造として、図２８に分解図で、図２９に組み付け図で示すように、フック金具３４を用いて水栓２８を梁フレーム３に固定することもできる。
フック金具３４は、梁フレーム３にネジ等で固定される固定部３４ａと、水栓２８の固定片２８ｂを梁フレーム３側へ押し付ける係止部３４ｂを備えており、この左右一対のフック金具３４を用いて強固にネジ等で梁フレーム３に水栓２８を固定することができ、この固定構造では、水栓２８の落下を完全に防ぐことができるものとなる。
【００３３】
なお、更に水栓２８の別の取り付け構造として、図３０或いは図３１に示すような構造を採用することもできる。
図３０の構造では、水栓２８の固定片２８ｂに面ファスナー３５を取り付け、梁フレーム３の幅方向両端下面に形成した角柱部３ｂ，３ｂ側にも面ファスナーを予め取り付けておき、この面ファスナー３５を介して梁フレーム３に水栓２８を取り付けることができる。
【００３４】
また、図３１の構造では、梁フレーム３に形成した角柱部３ｂ，３ｂの底面に、長手方向に沿って間隔をおいて角孔３ｃ，３ｃと、角孔３ｃ，３ｃ間を連通するように長手方向に貫通溝３ｄを貫通形成させておき、一方、水栓２８の固定片２８ｂには、立上部２８ｄと、立上部２８ｄの上端に四角板状の係止部２８ｅを一体形成させておき、この係止部２８ｅを下方側から角孔３ｃ内に入れて、貫通溝３ｄに沿って立上部２８ｄをスライドさせることで、梁フレーム３の角柱部３ｂの内側に係止部２８ｅを配置させて、水栓２８を梁フレーム３に固定できるものであり、貫通溝３ｄに沿って逆方向にスライドさせることにより容易に取り外すことができるものとなる。
【符号の説明】
【００３５】
１ａ  底面
１ｂ，１ｃ  建築壁
１ｄ  天井
２ａ，２ｂ  フレームユニット
３  梁フレーム
３ａ  係止孔
３ｂ  角柱部
３ｃ  角孔
３ｄ  貫通溝
４  垂直フレーム
４ｄ  ビス孔
５  連結フレーム
５Ａ  大型フレーム
５Ｂ  小型フレーム
５ａ  基片
５ｂ  側片
５ｃ  折れ片
５ｄ  孔
６  キッチン本体
７  アッパーキャビネット
８  配管フレーム
９  引き戸（仕切り部材）
１０  支持金具
１１  軸
１２  車輪
１３  カウンター
１４  シンク
１６  縦フレーム
１６ｂ  平板部
１６ｃ  折曲部
１６ｄ  リブ
１６ｅ  段部
１７  前縦フレーム
１７ａ  係止孔
１８  上奥行フレーム
１８ａ  折れ片
１８ｂ，２２ｂ  係合爪
１９  下奥行フレーム
１９ａ  折れ片
２０  底板
２２  スライドレール
２３  棚板
２５  給水管
２６  浄水器カートリッジ
２７  浄水管
２７ａ  継手プラグ
２８  水栓
２８ｂ  固定片
２８ｃ  突起
２８ｄ  立上部
２８ｅ  係止部
２９  カバー
３０ａ  継手ソケット
３１  電気配線
３１ａ  コンセントプラグ
３２ａ  コンセント
３３  固定部材
３３ａ  嵌合凹部
３３ｂ  ネジ孔
３４  フック金具
３４ａ  固定部
３４ｂ  係止部
３５  面ファスナー
３６  ゴム
Ｓ  キッチン空間
【図１】
0005784314.tif 000002
【図２】
0005784314.tif 000003
【図３】
0005784314.tif 000004
【図４】
0005784314.tif 000005
【図５】
0005784314.tif 000006
【図６】
0005784314.tif 000007
【図７】
0005784314.tif 000008
【図８】
0005784314.tif 000009
【図９】
0005784314.tif 000010
【図１０】
0005784314.tif 000011
【図１１】
0005784314.tif 000012
【図１２】
0005784314.tif 000013
【図１３】
0005784314.tif 000014
【図１４】
0005784314.tif 000015
【図１５】
0005784314.tif 000016
【図１６】
0005784314.tif 000017
【図１７】
0005784314.tif 000018
【図１８】
0005784314.tif 000019
【図１９】
0005784314.tif 000020
【図２０】
0005784314.tif 000021
【図２１】
0005784314.tif 000022
【図２２】
0005784314.tif 000023
【図２３】
0005784314.tif 000024
【図２４】
0005784314.tif 000025
【図２５】
0005784314.tif 000026
【図２６】
0005784314.tif 000027
【図２７】
0005784314.tif 000028
【図２８】
0005784314.tif 000029
【図２９】
0005784314.tif 000030
【図３０】
0005784314.tif 000031
【図３１】
0005784314.tif 000032